(57)【要約】      （修正有）【課題】電線アセンブリがしっかり位置決めされ、電力接続が安定で、副銃身と主銃身の組合せ操作が容易な電動玩具銃を提供する。【解決手段】電動玩具銃は主銃身Ａと副銃身Ｂと電力ユニットＥからなる。電力ユニットは、電動モータ１、電池装置２、及び電線アセンブリ３を包含する。電線アセンブリは第１電線セット３１及び第２電線セット３２を包含し、第１電線セットの一端は電動モータに接続され、第２電線セットの一端は電池装置に接続される。第１電線セットの他端に接続された第１端子３１３は主銃身内部の主壁側に固定され、第２電線セットの他端に接続された第２端子３２３は、副銃身内部の副壁側に固定され、副銃身が主銃身に取り付けられる時、第２端子は第１端子に対応し挿嵌され、電動モータと電池装置が電力連通する。【選択図】図５
0003185239.tif 000002
【実用新案登録請求の範囲】
【請求項１】
電動玩具銃において、一体に組み合わされる主銃身と副銃身、及び電力ユニットを具え、
該主銃身の内部側辺に主壁側があり、
該副銃身の内部側辺に副壁側があり、
該電力ユニットは電動モータ、電池装置及び電線アセンブリを包含し、
該電動モータは該主銃身の内部に設けられ、
該電池装置は該副銃身の内部に設けられ、
該電線アセンブリは第１電線セットと第２電線セットを包含し、
該第１電線セットと該第２電線セットはそれぞれがプラス極電線とマイナス極電線を具え、
該第１電線セットの一端は該電動モータに接続され、且つ該第１電線セットの他端は第１端子に接続され、該第２電線セットの一端は該電池装置に接続され、且つ該第２電線セットの他端は第２端子に接続され、並びに該第１端子と該第２端子は相互に挿嵌される時に該電動モータと該電池装置が電力連通を形成し、
該第１端子が該主銃身の該主壁側に固定され、該第２端子が該副銃身の該副壁側に固定され、且つ該副銃身が該主銃身に組み合わされる時、該第２端子が該第１端子に対向し挿嵌されることにある、電動玩具銃。
【請求項２】
請求項１記載の電動玩具銃において、該副銃身は一体に接続されるグリップ部と上カバーを包含し、該電池装置は該グリップ部の内部に設置され、該第２端子は該上カバーの内部に固定され、且つ該上カバーは下カバーに向けて該主銃身に組み合わされることを特徴とする、電動玩具銃。
【請求項３】
請求項１記載の電動玩具銃において、該第１端子は該主銃身後側の内部に固定され、該副銃身は銃床とされ、該銃床前方に後座が枢接され、該電池装置は該銃床の内部に設置され、該第２端子は該後座に固定され、且つ該後座は前向きに該主銃身に組み合わされることを特徴とする、電動玩具銃。
【請求項４】
請求項１記載の電動玩具銃において、該主銃身の該主壁側は別に主壁座を具え、且つ該第１端子は該主壁座に固定され、該副銃身の該副壁側は副壁座を具え、且つ該第２端子は該副壁座に固定されることを特徴とする、電動玩具銃。
【請求項５】
請求項１乃至４のいずれか記載の電動玩具銃において、該第２電線セットのプラス極電線は、ヒューズ装置に直列に接続されることを特徴とする、電動玩具銃。
【考案の詳細な説明】
【技術分野】
【０００１】
本考案は一種の電動玩具銃に係り、特にその電力ユニットの電線アセンブリの位置決め構造の技術領域に関する。
【背景技術】
【０００２】
一般に玩具銃の動力装置の動力ソースは二種類に分けられ、その一つは電力駆動とされ、もう一つはガス圧駆動であり、本考案が改良するのは電力駆動の電動玩具銃を指す。
【０００３】
電力駆動の電動玩具銃（特に大型の玩具銃、たとえば図１に示される特許文献１）は、主銃身ａと副銃身ｂを具え、その電力ユニットｅは電動モータ１０、電池装置２０及び電線アセンブリ３０を包含する。電動モータ１０は主銃身ａの内部に設けられ、電池装置２０は副銃身ｂの内部に設けられる（副銃身はすなわち、銃床の作用を構成する）。且つ電線アセンブリ３０による電力接続により、電動モータ１０が駆動される。そのうち、電線アセンブリ３０は第１電線セット３０１及び第２電線セット３０２を包含し、それはそれぞれプラス極電線３０１ａ、３０２ａ、及びマイナス極電線３０１ｂ、３０２ｂを具え、第１電線セット３０１の一端は電動モータ１０に接続され、第１電線セット３０１の他端は第１端子３０３に接続される。このほか、第２電線セット３０２の一端は電池装置２０に接続され、第２電線セット３０２の他端は第２端子３０４に接続され、且つ第１端子３０３と第２端子３０４が相互に挿嵌される時、電動モータ１０と電池装置２０は電力電通を形成する。
【０００４】
上述の電動玩具銃の電力ユニットｅの構成は、その実施上、以下のような欠点を有している。
一．このような電動玩具銃の主銃身ａと副銃身ｂは工場内で組立られる時、作業員は必ず先に第１端子３０３と第２端子３０４の相互挿嵌操作を行わねばならず、且つそれを副銃身ｂ内に収容してはじめて、主銃身ａと副銃身ｂが一体に組み合わされる。且つ主銃身ａと副銃身ｂは組立後には簡単には分解できないが、第１端子３０３と第２端子３０４はいずれも位置決め構造設計を有していないため、相互挿嵌操作の後に固定されずにぐらついたり、弛んだりする現象を発生する。これにより、主銃身ａと副銃身ｂの組立作業を行う時には、それを確実に挿嵌してはじめて、主銃身ａと副銃身ｂの組立操作を実行でき、そうでなければ、導電性能に影響が生じる。これにより、組立操作上、不便で手間がかかる。且つ導電性能に問題が生じた時は、主銃身ａと副銃身ｂを分解して修理しなければならず、すなわち、分解及び組立上の面倒が形成される。
二．第１端子３０３と第２端子３０４の挿嵌部分は固定されず、ぐらつき、ゆるみの現象を有し、ゆえに使用後に振動に遭うと、挿嵌部分が脱落し、停電して発射できなくなる。
【先行技術文献】
【特許文献】
【０００５】
【特許文献１】台湾特許証書第Ｍ３５６１０６号（中国特許第ＺＬ２００９２０００１０９９．１号）
【考案の概要】
【考案が解決しようとする課題】
【０００６】
以上を受け、本考案の解決しようとする技術問題は、既存技術の第１端子と第２端子の対応接続部分が固定されていないために組立不便と脱落する欠点を形成することに対し、一種の有効な改善技術構造を提供することにある。
【課題を解決するための手段】
【０００７】
本考案の技術問題を解決するために採用する技術策は以下のとおりである。一種の電動玩具銃を創作し、それは、一体に組み合わされる主銃身と副銃身、及び電力ユニットを具えている。そのうち、該主銃身の内部側辺に主壁側があり、該副銃身の内部側辺に副壁側があり、該電力ユニットは電動モータ、電池装置及び電線アセンブリが組み合わされてなる。
【０００８】
そのうち、該電動モータは該主銃身の内部に設けられ、該電池装置は該副銃身の内部に設けられ、該電線アセンブリは第１電線セット及び第２電線セットを包含し、且つ該第１電線セットと該第２電線セットはそれぞれプラス極電線とマイナス極電線を具え、該第１電線セットの一端は該電動モータに接続され、且つ該第１電線セットの他端は第１端子に接続され、また該第２電線セットの一端は該電池装置に接続され、且つ該第２電線セットの他端は第２端子に接続され、並びに該第１端子と該第２端子は相互に挿嵌接続される時、該電動モータと該電池装置に電力連通を形成させる。
【０００９】
該第１端子は該主銃身の該主壁側に固定され、該第２端子は該副銃身の該副壁側に固定され、且つ該副銃身が該主銃身に組み合わされる時、該第２端子はちょうど該第１端子と対応し挿嵌される。これにより、該第１端子と該第２端子の挿嵌部分が固定され、前述の既存の欠点は排除され得る。
【００１０】
このほか、該副銃身は少なくとも一体に接続されたグリップ部と上カバーを包含し、該電池装置は該グリップ部の内部に設置され、該第２端子は該上カバーの内部に固定され、且つ該上カバーは下カバーと、該主銃身において組み合わされる。
【００１１】
このほか、該第１端子は該主銃身後側の内部に固定され、該副銃身は銃床とされ得て該銃床前方に別に後部シートが枢接され、該電池装置は該銃床の内部に設置され、該第２端子は該後部シートに固定され、且つ該後部シートは前向きに該主銃身に組み合わされる。
【００１２】
さらに、該主銃身の該主壁側は別に主壁座を具え、且つ該第１端子は該主壁座に固定され、該副銃身の該副壁側に別に副壁座が電動モータ、且つ該第２端子は該副壁座に固定される。
【００１３】
さらに、該第２電線セットのプラス極電線は別にヒューズ装置に直列接続される。
【考案の効果】
【００１４】
ゆえに、本考案は一種の電動玩具銃を提供し、それは電力ユニットが改良されて、第１電線セットの第１端子、第２電線セットの第２端子がそれぞれ主銃身、副銃身に位置決めされ、且つ副銃身が主銃身に組み合わされる時、第２端子がちょうど第１端子と対応し挿嵌され、第１端子と第２端子の挿嵌部分がしっかりと位置決めされ、これにより脱落の恐れがなく、且つ主銃身、副銃身の組合せ操作に便利とされる。
【図面の簡単な説明】
【００１５】
【図１】周知の電力駆動の玩具銃の平面構造実施例図である。
【図２】本考案の平面実施例表示図である。
【図３】本考案の立体分解実施例及び部分拡大図である。
【図４】図３の主銃身の正面部分立体参考図である。
【図５】本考案の平面組合せ構造実施例及び部分拡大図である。
【図６】本考案の別の立体分解実施例図である。
【図７】本考案の別の立体分解実施例図である。
【考案を実施するための形態】
【００１６】
図２に示される具体的実施例を参照されたい。本考案の電動玩具銃は、主銃身Ａ、副銃身Ｂ、及び電力ユニットＥを包含する。
【００１７】
そのうち、主銃身Ａは、図３に示されるように、内部に少なくとも一つのボルトＡ１（図５を参照されたい）及びギアアセンブリＡ２を具え、且つマガジンＡ３が組み合わされ、主銃身Ａの内部側辺に主壁側Ａ４があり、且つ該主壁側Ａ４は別に主壁座Ａ５を具えている（図４に示されるとおり）。
【００１８】
副銃身Ｂは、図３に示されるように、主銃身Ａに対して取り付け或いは取り外しが可能で、副銃身Ｂは一体に接続されたグリップ部Ｂ１及び上カバーＢ２を包含する。副銃身Ｂの内部側辺は副壁側Ｂ３を具え、図３に示されるように、副壁側Ｂ３は上カバーＢ２の内側に設置され、副壁側Ｂ３はまた副壁座Ｂ４を具え、且つ副銃身Ｂが主銃身Ａをカバーするように主銃身Ａに結合されるとき（図５に示されるとおり）、副壁座Ｂ４は主壁座Ａ５に対応し、上カバーＢ２は下カバーに向けて主銃身Ａの上方に組み合わされる。
【００１９】
電力ユニットＥは、図３、図５に示されるように、電動モータ１、電池装置２及び電線アセンブリ３により構成される。そのうち、電動モータ１は主銃身Ａの内部に設けられ、電池装置２は副銃身Ｂの内部（たとえば図３、５に示されるようにグリップ部Ｂ１の内部）に設けられる。電線アセンブリ３は第１電線セット３１及び第２電線セット３２を包含し、且つ第１電線セット３１と第２電線セット３２はそれぞれプラス極電線３１１、３２１及びマイナス極電線３１２、３２２を具え、第１電線セット３１の一端は電動モータ１に接続され、且つ第１電線セット３１の他端は第１端子３１３に接続され、並びに該第１端子３１３は主壁座Ａ５に固定される。このほか、第２電線セット３２の一端は電池装置２に接続され、且つ第２電線セット３２の他端は、第２端子３２３に接続され、且つ第２端子３２３は副壁座Ｂ４に固定され、また、副銃身Ｂと主銃身Ａが組み合わされるとき、第１端子３１３はちょうど第２端子３２３と対応し挿嵌される（図５に示されるとおり）。また、第２電線セット３２のプラス極電線３２１は別にヒューズ装置３３に直列に接続される。
【００２０】
以上の構成により実施されるとき、工場内で組み立てられる時、直接副銃身Ｂが主銃身Ａに組み合わされ、このとき、副壁座Ｂ４が主壁座Ａ５に対応し、且つ第１端子３１３と第２端子３２３が対向し挿嵌され、ゆえに、電動モータ１と電池装置２が電力連通を形成でき、組立上、極めて容易で、便利である。
【００２１】
このほか、図６、７のもう一つの具体的実施例によると、主銃身Ａ’と副銃身Ｂ’はもう一つの銃の種類とされ、そのうち、第１端子３１３は主銃身Ａ’の後側の内部に固定され（図６）、副銃身Ｂ’は銃床とされ、銃床の前方に、別に後座Ｂ５が枢接され、電池装置２は銃床（副銃身Ｂ’）の内部に設置され（図７）、第２端子３２３は後座Ｂ５に固定され、且つ後座Ｂ５は前向きに主銃身Ａ’に組み合わされ、並びに第１端子３１３と第２端子３２３は対応し挿嵌される。
【００２２】
以上からわかるように、本考案の第１端子３１３と第２端子３２３はいずれも固定され、且つ副銃身Ｂ（Ｂ’）と主銃身（Ａ）Ａ’が組み合わされる時、第１端子３１３はいずれも第２端子３２３と対応し挿嵌され、ゆえに、組立操作上、非常に容易で、便利であると言うことができ、且つ第１端子３１３と第２端子３２３はいずれも固定され、ゆえに、第１電線セット３１と第２電線セット３２のぐらつき状況は大幅に減らされ、さらに、第１端子３１３と第２端子３２３の挿嵌部分は固定され、ゆえに、振動時にも脱落の状況を発生せず、その実施時の電力接続の安定性を確保できる。
【００２３】
以上からわかるように、本考案はすでに既存のものの欠点を有効に排除し、消費者の製品に対する信頼度をアップでき、本考案の製品価値を大幅にアップできる。
【００２４】
総合すると、本考案の新規な構造はすでに産業上の利用性、新規性及び進歩性を有している。以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求の範囲のカバーする範囲内に属するものとする。
【符号の説明】
【００２５】
（周知の実施例）
ａ  主銃身
ｂ  副銃身
ｅ  電力ユニット
１０  電動モータ
２０  電池装置
３０  電線アセンブリ
３０１  第１電線セット
３０２  第２電線セット
３０１ａ、３０２ａ  プラス極電線
３０１ｂ、３０２ｂ  マイナス極電線
３０３  第１端子
３０４  第２端子
（本考案の実施例）
Ａ、Ａ’  主銃身
Ａ１  ボルト
Ａ２  ギアアセンブリ
Ａ３  マガジン
Ａ４  主壁側
Ａ５  主壁座
Ｂ、Ｂ’  副銃身
Ｂ１  グリップ部
Ｂ２  上カバー
Ｂ３  副壁側
Ｂ４  副壁座
Ｂ５  後座
Ｅ  電力ユニット
１  電動モータ
２  電池装置
３  電線アセンブリ
３１  第１電線セット
３２  第２電線セット
３１１、３２１  プラス極電線
３１２、３２２  マイナス極電線
３１３  第１端子
３２３  第２端子
３３  ヒューズ装置
【図１】
0003185239.tif 000003
【図２】
0003185239.tif 000004
【図３】
0003185239.tif 000005
【図４】
0003185239.tif 000006
【図５】
0003185239.tif 000007
【図６】
0003185239.tif 000008
【図７】
0003185239.tif 000009